(57)【特許請求の範囲】
【請求項１】
建物内の換気を行うための換気システムであって、
前記建物の居室に設けられた給気口から外気を居室内に強制的に送り込むための機械給気装置と、
前記建物の非居室に設けられた吸い込み口から強制的に空気を吸い込んで排気するための装置であって、常時作動される機械排気装置と、
前記建物の小屋裏空間内において、前記小屋裏空間の高さ寸法の１／２以下の領域に設けられ、前記小屋裏空間の温度を検知するための温度センサと、
前記温度センサにより検知された温度に応じて前記機械給気装置の運転および停止を制御することで、機械給気と自然給気とを切り替えるための制御手段とを備える、換気システム。
【請求項２】
建物内の換気を行うための換気システムであって、
前記建物の居室に設けられた給気口から外気を居室内に強制的に送り込むための機械給気装置と、
前記建物の小屋裏空間内に設けられ、前記小屋裏空間の温度を検知するための温度センサと、
前記温度センサにより検知された温度に応じて前記機械給気装置の運転および停止を制御することで、機械給気と自然給気とを切り替えるための制御手段とを備え、
前記制御手段は、前記温度センサにより検知された温度が所定温度未満の場合にのみ、前記機械給気装置を運転する、換気システム。
【請求項３】
前記制御手段は、前記機械給気装置の運転中に、前記温度センサにより検知された温度が前記所定温度以上となった場合、前記所定温度以上の時間が所定時間経過するまで、前記機械給気装置の運転を継続させる、請求項２に記載の換気システム。
【請求項４】
当該換気システムは、前記建物の非居室に設けられた吸い込み口から強制的に空気を吸い込んで排気するための機械排気装置をさらに備え、
前記制御手段は、前記機械排気装置を常時運転する、請求項２または３のいずれかに記載の換気システム。
【請求項５】
前記建物は、複数階建てであり、
前記給気口は、前記建物の上階に位置する、前記小屋裏空間下の居室に設けられており、
当該換気システムは、前記建物の１階の居室に設けられ、居室内に外気を自然給気するための給気開口部をさらに備える、請求項２〜４のいずれかに記載の換気システム。
【発明の詳細な説明】
【技術分野】
【０００１】
本発明は、換気システムに関し、特に、１階または複数階建ての建物の換気システムに関する。
【背景技術】
【０００２】
住宅などの一般的な建物には、第一種換気システムおよび第三種換気システムのいずれかが採用されることが多い。第一種換気システムでは、給気および排気の両方が機械にて行われる。これに対し、第三種換気システムでは、排気のみ機械で行い、屋内側を負圧とすることで、外気を自然給気する。
【０００３】
第三種換気システムでは、屋内外の温度差の影響を受けるため、季節によって換気量が異なる。そのため、特開２０００−３５６３８４号公報（特許文献１）では、建物の１階に設けられた自然換気用開口部の開度を屋内外の温度差によって調整する常時換気システムが提案されている。また、この常時換気システムでは、建物の２階には、常時作動する給気ファンが設けられ、２階のみ第一種換気方式が採用されている。
【０００４】
さらに、次のような換気システム（構造）も公知である。特開２０１３−１２４８１５号公報（特許文献２）には、建物の１階および２階に給気装置および自然排気口を備えた住宅において、屋内外の温度差によって給気装置の運転および停止が行われることが開示されている。また、家屋の換気構造としては、特開２００２−７１１８６号公報（特許文献３）に、一階空間と二階空間との間の天井裏空間に外気導入装置を設置し、上記天井裏空間から、各通気口を介して一階空間および二階空間に空気を流動させることが開示されている。
【先行技術文献】
【特許文献】
【０００５】
【特許文献１】特開２０００−３５６３８４号公報
【特許文献２】特開２０１３−１２４８１５号公報
【特許文献３】特開２００２−７１１８６号公報（特許第３４８８９２１号）
【発明の概要】
【発明が解決しようとする課題】
【０００６】
第三種換気システムは、第一種換気システムよりも、コスト（イニシャルコストおよびランニングコスト）面において有利である一方で、建物の上階（２階以上）においては、重力換気による給気が望み難い。このような問題に対処するために、特許文献１では、上述のように、建物の１階部分を第三種換気方式、２階部分を第一種換気方式とする複合型換気システムが提案されている。しかしながら、ランニングコストや省エネルギー化の観点などから、上階においてもできるだけ自然給気によって換気することが望ましい。
【０００７】
これに対し、特許文献２では、建物の１階および２階の双方に給気装置を設け、必要な場合にのみ給気装置による機械給気を行うことが開示されている。しかし、給気装置の運転が必要か否かは、屋内外の温度差で判断されるため、特許文献２の換気システムでは、屋内および屋外の両方に温度センサが必要となる。
【０００８】
また、屋外に設置された温度センサにより検知される外気温度は、日射の影響を直接受けるため、百葉箱に温度センサを入れるなど、十分な日除け対策を施すことが望まれるが、一般的な住宅では実用性が低い。
【０００９】
本発明は、上記のような課題を解決するためになされたものであって、その目的は、温度センサの個数を減らしても、一年を通じて適切に屋内の換気を行うことのできる換気システムを提供することである。
【課題を解決するための手段】
【００１０】
この発明のある局面に従う換気システムは、建物内の換気を行うための換気システムであって、機械給気装置と、温度センサと、制御手段とを備える。機械給気装置は、建物の居室に設けられた給気口から外気を居室内に強制的に送り込む。温度センサは、建物の小屋裏空間内に設けられ、小屋裏空間の温度を検知する。制御手段は、温度センサにより検知された温度に応じて機械給気装置の運転および停止を制御することで、機械給気と自然給気とを切り替える。
【００１１】
好ましくは、温度センサは、小屋裏空間の高さ寸法の１／２以下の領域に設けられている。
【００１２】
好ましくは、制御手段は、温度センサにより検知された温度が所定温度未満の場合にのみ、機械給気装置を運転する。
【００１３】
また、制御手段は、機械給気装置の運転中に、温度センサにより検知された温度が所定温度以上となった場合、所定温度以上の時間が所定時間経過するまで、機械給気装置の運転を継続させることが望ましい。
【００１４】
好ましくは、当該換気システムは、建物の非居室に設けられた吸い込み口から強制的に空気を吸い込んで排気するための機械排気装置をさらに備える。この場合、制御手段は、機械排気装置を常時運転することが望ましい。
【００１５】
好ましくは、建物は、複数階建てであり、給気口は、建物の上階に位置する、小屋裏空間下の居室に設けられている。この場合、当該換気システムは、建物の１階の居室に設けられ、居室内に外気を自然給気するための給気開口部をさらに備えることが望ましい。
【発明の効果】
【００１６】
本発明によれば、内外温度差を小屋裏空間の温度で代替するため、温度センサの個数を減らしても、一年を通じて適切に屋内の換気を行うことができる。
【図面の簡単な説明】
【００１７】
【図１】本発明の実施の形態に係る建物の換気システムの概略構成を模式的に示す図である。
【図２】本発明の実施の形態に係る換気システムの機能構成を示すブロック図である。
【図３】内外温度差と小屋裏温度との相関関係を示すグラフである。
【図４】小屋裏温度と外気温度との温度差を示すグラフである。
【図５】本発明の実施の形態において、制御装置が実行する給気切替処理を示すフローチャートである。
【図６】建物の小屋裏空間を模式的に示す図である。
【図７】小屋裏空間において、水平方向に測定位置を変えた場合の測定精度の影響を模式的に示すグラフである。
【図８】小屋裏空間において、鉛直方向に測定位置を変えた場合の測定精度の影響を模式的に示すグラフである。
【図９】一般的な第三種換気システムを採用した建物における空気の流れを模式的に示す図である。
【図１０】冬期において、建物の壁体にかかる圧力を模式的に示す図である。
【発明を実施するための形態】
【００１８】
本発明の実施の形態について図面を参照しながら詳細に説明する。なお、図中同一または相当部分には同一符号を付してその説明は繰返さない。
【００１９】
本発明の実施の形態に係る換気システムは、複数階建て（たとえば２階建て）の建物の換気を行うために、少なくとも上階に、自然給気と機械給気との両方を行うことのできるハイブリッド給気ユニットを備えている。
【００２０】
本実施の形態に係る換気システムの概略構成の説明に先立ち、はじめに、図９および図１０を参照しながら、一般的な第三種換気方式（自然給気、機械排気）を採用した建物１００における空気の流れについて、簡単に説明する。
【００２１】
建物１００は、たとえば２階建てであり、１階に居室１１１および非居室１１２、２階（上階）に居室１２１および非居室１２２，１２３を有している。建物１００の１階には、居室１１１に給気開口部２１が設けられ、非居室１１２に排気ファン（機械排気装置）２２が設けられている。２階にも同様に、居室１２１に給気開口部３００が設けられ、非居室１２３に排気ファン４００が設けられている。各給気開口部２１，３００は、建物１００の外壁を貫通するように設けられており、外気を取り入れて居室１１１，１２１内に自然給気する。給気開口部２１，３００は、一般的に居室１１１，１２１を構成する壁体（外壁）の上部に設けられている。
【００２２】
このような第三種換気システムでは、排気ファン２２，４００を常時作動させ、室内側を負圧とすることで、理想的には、各階の居室１１１，１２１に外気が自然給気される。また、図９の矢印Ｆ１，Ｆ２で示すように、居室１１１，１２１内の空気はそれぞれ非居室１１２，１２２へと流動し、非居室１１２，１２２から機械排気される。
【００２３】
建物１００において、排気ファン２２，４００の作動によって壁体にかかる圧力は、図１０（Ｂ）に示されるように、季節を問わず１階も２階も等しい。一方で、内外温度差は季節によって異なるため、季節によって壁体にかかる圧力も異なる。図１０（Ａ）に示されるように、冬期においては、建物１００の１階部分では下方へいくほど屋内側へ大きな圧力がかかり、２階部分では上方へいくほど屋外側へ圧力がかかっている。
【００２４】
冬期に壁体にかかる圧力は、図１０（Ａ）に示す圧力と図１０（Ｂ）に示す圧力との合成である。したがって、冬期には、公知の建物１００の２階においては、図９の矢印Ｆ３で示すように、非居室１２２の空気が居室１２１へ逆流する現象が発生する。このような場合、給気開口部３００から２階居室１２１に新鮮な外気が供給され難い。
【００２５】
これに対し、本実施の形態に係る換気システムは、建物１の２階居室１２１に常に新鮮な外気を供給するために、必要な場合にのみ機械給気を行うことができるハイブリッド給気ユニットを備えることとしている。
【００２６】
（概略構成について）
図１を参照して、本実施の形態に係る建物１の換気システムの概略構成について説明する。なお、建物１自体の基本的な構造は、図９に示した公知の建物１００と同様である。つまり、建物１は、１階に居室１１１および非居室１１２、２階（上階）に居室１２１および非居室１２２，１２３を有している。２階の非居室１２２はたとえば廊下であり、１階の非居室１１２および２階の非居室１２３はたとえばトイレである。
【００２７】
図１に示されるように、建物１の１階の換気には、公知の建物１００と同様に、居室１１１に設けられた給気開口部２１と、非居室１１２に設けられた排気ファン２２とが用いられる。建物１の１階は、第三種換気方式であっても、一年を通じて適切に換気が行えるからである。給気開口部２１は、たとえばサッシ１１３の上部に設けられている。
【００２８】
なお、給気開口部２１の開度は、たとえば特開２０００−３５６３８４号公報（特許文献１）に示されるように、屋内外の温度差によって調整されてもよい。この場合、給気開口部２１の開度は、屋内外の温度差が大きい冬期に小さくなり、屋内外の温度差の小さい夏期や中間期に大きくなるように、調整される。
【００２９】
これに対し、建物１の２階の換気には、ハイブリッド給気ユニット３と、排気ユニット４とが用いられる。ハイブリッド給気ユニット３は、２階に複数の居室１２１がある場合、典型的には居室１２１ごとに設けられる。排気ユニット４は、たとえば親子換気扇により実現され、複数の非居室１２２，１２３に対して１つ設けられる。
【００３０】
ハイブリッド給気ユニット３は、外気を吸い込むための吸い込み口３１と、居室１２１に位置する給気口３２と、これらを連結する通気管３３と、給気口３２から外気を居室１２１内に強制的に送り込むための給気ファン（機械給気装置）３４とを含む。給気ファン３４は、モータと、モータにより駆動されるファンとを含み、モータに電源が供給されることで、ファンが回転する。
【００３１】
ハイブリッド給気ユニット３は、居室１２１の天井裏空間、すなわち小屋裏空間１３０に設けられている。この場合、吸い込み口３１は、たとえば居室１２１近くの軒裏天井部に位置し、給気口３２は、居室１２１の天井に位置している。給気ファン３４は、たとえば給気口３２付近に設けられている。給気口３２は、居室１２１の天井に設けられるため、窓１２４の位置や大きさに依存しない。
【００３２】
排気ユニット４は、本体部（筐体）４０に排気ファン４４（図１において不図示）を内蔵し、非居室１２２，１２３それぞれに位置する複数の吸い込み口４１ａ，４１ｂを有している。排気ファン４４も、モータと、モータにより駆動されるファンとを含む。排気ユニット４は、排気ファン４４が駆動されることによって、吸い込み口４１ａ，４１ｂから空気を吸い込み、吸い込まれた空気を排気口４２から機械排気する。排気口４２は、たとえば、非居室１２３近くの軒裏天井部に設けられている。
【００３３】
排気ユニット４の本体部４０は、小屋裏空間１３０であって、非居室１２２の天井裏空間に設けられている。そのため、非居室１２３の天井に位置する吸い込み口４１ｂは、副吸い込み口として機能している。排気ユニット４は、吸い込み口４１ｂと本体部４０とを連結する通気管４３ａと、本体部４０と排気口４２とを連結する通気管４３ｂとをさらに含む。
【００３４】
排気ユニット４は、１階の排気ファン２２と同様に、常時作動される。これに対し、ハイブリッド給気ユニット３は、季節に応じて、自然給気と機械給気とのいずれかを選択的に行う。典型的には、ハイブリッド給気ユニット３は、内外温度差が比較的小さい暖期に自然給気を行い、内外温度差が比較的大きい寒期にのみ機械給気を行う。
【００３５】
排気ユニット４の制御は、制御装置５によって行われる。制御装置５は、複数段階の運転強度のうちのいずれかで排気ファン４４を運転してもよい。図１では、制御装置５は、小屋裏空間１３０内であって本体部４０近傍に設けられた例が示されているが、本体部４０内に設けられていてもよい。本実施の形態では、排気ユニット４を制御する制御装置５によって、ハイブリッド給気ユニット３の制御も行われる。ハイブリッド給気ユニット３および制御装置５（排気ユニット４）は、小屋裏空間１３０に設けられるため、給気ファン３４と制御装置５とをケーブルによって接続することができる。
【００３６】
（機能構成について）
次に、図２をさらに参照して、本実施の形態に係る換気システムの機能構成について説明する。
【００３７】
本実施の形態に係る換気システムは、上記構成に加え、温度センサ６２および操作部６３をさらに含む。操作部６３は、ユーザから、排気ユニット４に関する指示を受け付ける。操作部６３は、たとえば２階の非居室１２２の壁面に設けられている。温度センサ６２については後述する。
【００３８】
制御装置５は、温度センサ６２および操作部６３と、有線または無線にて接続されている。制御装置５は、各種演算および処理を行う制御部５１と、各種データおよびプログラムを記憶する記憶部５２と、計時動作を行う計時部５３とを含む。制御部５１は、たとえばＣＰＵ（Central Processing Unit）などの演算処理装置により実現される。記憶部５２には、排気ファン４４および給気ファン３４の駆動を制御するためのプログラムが予め記憶されている。記憶部５２は、たとえばフラッシュメモリなどの不揮発性記憶装置により実現される。計時部５３は、制御部５１からの指示に応じて時間を計測するタイマである。なお、計時部５３は、常に日時を計測するクロックであってもよい。
【００３９】
上述のように、制御装置５は、排気ユニット４を制御するとともに、居室１２１ごとに設けられたハイブリッド給気ユニット３を制御する。そのため、制御部５１は、その機能として、排気制御部５４と、給気制御部５５とを含んでいる。なお、温度センサ６２からの検知信号は、デジタル信号に変換された後に、制御部５１に入力される。
【００４０】
排気制御部５４は、排気ユニット４の電源がＯＮ状態の間、排気ファン４４を常時作動する。排気ファン４４の運転モードには、たとえば弱排気モードと強排気モードとが含まれる。この場合、排気制御部５４は、操作部６３が受け付けたユーザからの指示に応じて、排気ファン４４の運転モードを切り替える。あるいは、建物１の屋内に設けられた温度センサ（図示せず）が検知した温度（屋内温度）に基づいて、排気ファン４４の運転モードを切り替えてもよい。
【００４１】
給気制御部５５は、季節が寒期か否か、あるいは、内外温度差が大きいか否かによって、給気ファン３４の運転を制御する。具体的には、内外温度差が比較的大きい場合にのみ給気ファン３４を運転し、内外温度差が比較的小さい場合には給気ファン３４の運転を停止する。ただし、本実施の形態では、内外温度差の実測値を用いずに、１つの温度センサ６２が検知した温度のみに基づいて、給気ファン３４の運転および停止を切り替える。
【００４２】
ここで、図１に示されるように、温度センサ６２は、建物１の小屋裏空間１３０内に設けられている。すなわち、温度センサ６２は、小屋裏空間１３０の温度（以下「小屋裏温度」という）を検知する。したがって、給気制御部５５は、温度センサ６２により検知された小屋裏温度に応じて、給気ファン３４の運転および停止を制御する。
【００４３】
このように、小屋裏温度に応じて給気方式（自然給気、機械給気）を決定するのは、内外温度差は小屋裏温度に代替（置換）することができるという知見に基づいている。これについては、図３のグラフを参照して説明する。
【００４４】
図３のグラフでは、内外温度差（屋内温度（Ｔｉ）−屋外温度（Ｔｏ））を縦軸にとり、小屋裏温度「Ｔａ」を横軸にとった座標平面上に、１年を通して得られた測定データがプロットされている。この実験結果から明らかなように、内外温度差が大きいほど小屋裏温度は低く、内外温度差が小さいほど小屋裏温度は高くなっており、内外温度差と小屋裏温度とは相関関係があることが判明した。そのため、本実施の形態では、内外温度差に代替して小屋裏温度のみを測定することとしている。
【００４５】
小屋裏温度に応じて給気方式を切り替える場合、その閾値（設定温度）は、上記実験結果に基づいて、次のように定めることができる。たとえば、内外温度差１０℃が、給気方式を切り替えるべき温度（設定温度差）であるとする。この場合、内外温度差１０℃以上のときに確実に機械給気とするためには、図３のグラフにおいて、内外温度差１０℃以上のときに測定された小屋裏温度の最高温度（約１８℃）よりも高くすることが望まれる。すなわち、閾値となる設定温度を２０℃とし、小屋裏温度が２０℃未満の場合に給気ファン３４をＯＮにすれば、建物１の２階の屋内環境を良好（安全）とすることができる。この温度（２０℃）を「設定基準温度」という。
【００４６】
一方で、小屋裏温度が２０℃未満の場合に給気ファン３４をＯＮにすると、内外温度差で判断した場合には給気ファン３４が不要であるにも関わらず、運転されてしまっている時間が多く存在する（図３において楕円Ｃ１で囲まれた部分）。そこで、設定温度を、上記設定基準温度（２０℃）よりも低い温度（たとえば１５℃）にすることが考えられる。そうすると、給気ファン３４の無駄な運転を減らすことができ、省エネルギー性を高めることができる。ただし、設定温度を１５℃とすると、逆に、内外温度差で判断した場合には給気ファン３４の運転が必要であるにも関わらず、運転されない時間が若干生じる（図３において楕円Ｃ２で囲まれた部分）。
【００４７】
その原因は、建物１の屋根が日射を受けることにより、日中、小屋裏温度が外気温度よりも上昇するという現象が生じるからである。図４には、小屋裏温度と外気温度との温度差（Ｔａ−Ｔｏ）が、時間軸に沿って示されている。図中、丸印で囲まれた部分は、日射の影響により、小屋裏温度の方が外気温度よりも高くなっている部分である。いずれも、小屋裏温度と外気温度との差は、ピーク時において５℃以上である。
【００４８】
そこで、本実施の形態では、設定温度は１５℃にするが、給気ファン３４の運転中に小屋裏温度が１５℃以上となった場合でも、すぐに給気ファン３４を停止するのではなく、時間的な制限を設けることとしている。すなわち、小屋裏温度が１５℃以上の時間が、所定時間（たとえば６時間）経過するまで、給気ファン３４の運転を継続させることとしている。これにより、給気ファン３４が必要な屋内環境の場合には、確実に機械給気とすることができる。
【００４９】
なお、給気ファン３４の運転および停止は、電源供給のオン／オフ信号を送信することによって実現されてもよいし、給気ファン３４の運転信号を送信することによって実現されてもよい。
【００５０】
（動作について）
次に、ハイブリッド給気ユニット３の動作について説明する。ハイブリッド給気ユニット３の動作は、給気制御部５５によって制御される。
【００５１】
図５は、給気制御部５５が行う給気切替処理を示すフローチャートである。図５に示す給気切替処理は、制御部５１が記憶部５２に記憶されたプログラムを読出して実行することで実現される。なお、この処理の開始時は、給気ファン３４は停止状態であるものとする。
【００５２】
図５を参照して、給気制御部５５は、温度センサ６２からの信号に基づき、小屋裏温度（Ｔａ）が１５℃未満であるか否かを判定する（ステップＳ１）。小屋裏温度が１５℃未満であれば（ステップＳ１にてＹＥＳ）、給気ファン３４を運転する（ステップＳ２）。すなわち、ハイブリッド給気ユニット３は機械給気を行う。同時に、給気制御部５５は、ハイブリッド給気ユニット３が機械給気を行っていることを示すフラグをＯＮにする（ステップＳ３）。その後、現状の状態（機械給気）が一定時間（たとえば１０分）継続された後（ステップＳ８）、ステップＳ１に戻り、再度、小屋裏温度の判断を行う。
【００５３】
一方、小屋裏温度（Ｔａ）が１５℃以上であれば（ステップＳ１にてＮＯ）、フラグがＯＮであるか否かを判断する（ステップＳ４）。つまり、ハイブリッド給気ユニット３が機械給気を行っているか否かが判断される。フラグがＯＮである場合（ステップＳ４にてＹＥＳ）、小屋裏温度が１５℃以上である時間が、所定時間、すなわち６時間以上継続しているか否かを判断する（ステップＳ５）。６時間以上継続していなければ（ステップＳ５にてＮＯ）、ステップＳ８に進み、給気ファン３４の運転が継続される。
【００５４】
一方、小屋裏温度が１５℃以上の時間が６時間以上継続していれば（ステップＳ５にてＹＥＳ）、フラグをＯＦＦにして（ステップＳ６）、給気ファン３４の運転を停止する（ステップＳ７）。すなわち、ハイブリッド給気ユニット３は、給気方式を自然給気に切り替える。その後、ステップＳ８に進み、現在の状態（自然給気）を一定時間継続させた後、ステップＳ１に戻る。
【００５５】
なお、上記ステップＳ４において、フラグがＯＮでないと判断された場合（ステップＳ４）、すなわち、自然給気中であると判断された場合、給気ファン３４を停止状態としたまま（ステップＳ７）、ステップＳ８に進む。
【００５６】
上述のように、本実施の形態によれば、小屋裏温度が所定温度未満である場合にのみ、給気ファン３４を運転するため、重力換気が可能な場合には、自然給気により屋内を換気することができる。したがって、２階居室１２１に常時機械給気するよりも、ラニングコストを低減させることができ、省エネルギー効果も得られる。
【００５７】
また、本実施の形態では、給気方式の判断基準となる設定温度（所定温度）を上記した設定基準温度よりも下げ、かつ、時間的制限を設けることで、省エネルギー性を向上させながら、屋内環境を良好に維持することができる。
【００５８】
また、小屋裏温度のみで給気方式を判断できるため、屋内および屋外の両方に温度センサを設ける必要がない。また、屋外に温度センサを設ける場合に比べて、小屋裏空間１３０に温度センサを設けることで、別途、日除け対策を施す必要がない。
【００５９】
また、制御装置５も小屋裏空間１３０に設けられるため、制御装置５付近に温度センサ６２を設置してケーブル長を短くすることもできる。なお、温度センサ６２の小屋裏空間１３０内の設置位置は、測定精度を考慮して定めることが望ましい。温度センサ６２の設置位置（すなわち、小屋裏温度の測定位置）と測定精度との関係性については、図６〜図８を参照して説明する。
【００６０】
図６は、小屋裏空間１３０を模式的に示す図である。小屋裏空間１３０は、最上階の天井部上面１３１と、切妻屋根１３２とによって囲まれた領域である。小屋裏空間１３０の（最大）高さ寸法Ｌ０は、たとえば２ｍ程度である。図７のグラフには、水平方向に測定位置を変えた場合の測定精度の影響が模式的に示されている。図８のグラフには、鉛直方向に測定位置を変えた場合の測定精度の影響が模式的に示されている。これらのグラフでは、小屋裏空間１３０の中央下部１３０ａの測定温度（以下「中央下部温度」という）を横軸にとり、小屋裏空間１３０内の各部（位置）の測定温度を縦軸にとった座標平面上に、１年を通して得られた測定データがプロットされた部分を、それぞれ領域として示している。
【００６１】
図６および図７を参照して、外壁際の位置１３０ｂを測定位置とした場合と、中央側の位置１３０ｃを測定位置とした場合とも、中央下部温度との差は、±３℃程度に収まっている。したがって、温度センサ６２の水平方向における設置位置の違いは、測定精度に殆ど影響を与えず、実用上問題ないといえる。
【００６２】
図６および図８を参照して、天井部上面１３１から６００ｍｍ高い位置１３０ｄでは、中央下部温度との差は、±３℃程度に収まっている。しかし、天井部上面１３１から１２００ｍｍ高い位置１３０ｅでは、中央下部温度との誤差は大きくなっている。したがって、温度センサ６２は、天井部上面１３１から６００ｍｍ以下に設置することが望ましい。ただし、天井部上面１３１に断熱材が配置される場合には、温度センサ６２は、断熱材よりも上に配置されることが望ましい。
【００６３】
なお、小屋裏空間１３０の高さ寸法Ｌ０や、小屋裏空間１３０内の環境などによって、同じ高さに温度センサ６２を設置しても測定精度に差が生じることも考えられるが、温度センサ６２は、少なくとも、小屋裏空間１３０の高さ寸法Ｌ０の１／２以下の領域に設けられていればよい。
【００６４】
以上説明した本実施の形態では、排気制御部５４および給気制御部５５の機能は、１つの制御部５１がソフトウェアを実行することで実現されるものとした。しかしながら、これらの機能は、それぞれ異なるハードウェアによって実現されてもよい。その場合、制御装置５を排気ユニット４専用とし、ハイブリッド給気ユニット３専用の給気制御装置（図示せず）を別途設けてもよい。さらに、このような場合には、ハイブリッド給気ユニット３ごとに給気制御装置が設けられてもよい。
【００６５】
また、小屋裏温度が、設定基準温度よりも低い１５℃未満の場合に機械給気が行われることとしたが、単純に、設定基準温度である２０℃未満の場合に機械給気として、制御を簡易化してもよい。
【００６６】
また、給気ファン３４をＯＮ状態からＯＦＦ状態に移行する場合に判断された「所定時間」は、安全をみて６時間であることとしたが、限定的ではない。ただし、所定時間は、５時間以上であることが望ましい。
【００６７】
また、本実施の形態では、給気ファン３４は、ＯＮ／ＯＦＦが切り替えられるのみであったが、排気ファン４４と同様に、ＯＮ状態の場合には、複数段階の運転モード（少なくとも、弱給気モードおよび強給気モードを含む）のいずれかで運転されることとしてもよい。
【００６８】
また、上記の場合、給気ファン３４の運転モードを、排気ファン４４の運転モードと連動させてもよい。すなわち、排気ファン４４の運転モードが弱排気モードであれば、給気ファン３４の運転モードを弱給気モードとし、排気ファン４４の運転モードが強排気モードであれば、給気ファン３４の運転モードを強給気モードとしてもよい。このように給気ファン３４と排気ファン４４とを連動制御することで、建物１の上階の換気を良好に行うことができる。
【００６９】
あるいは、本実施の形態では、建物１の１階を第三種換気方式としたが、１階の居室の給気にもハイブリッド給気ユニット３が用いられてもよい。このような場合には、建物は１階建てであってもよい。
【００７０】
あるいは、ハイブリッド給気ユニット３が設けられた階の排気は、自然排気としてもよい。すなわち、排気ファン２２または４４を設けず、第二種換気に準ずる方式としてもよい。そのような場合であっても、小屋裏温度に応じて、給気ファン３４のＯＮ／ＯＦＦを制御することができる。
【００７１】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００７２】
１，１００  建物、３  ハイブリッド給気ユニット、４  排気ユニット、５  制御装置、２１，３００  給気開口部、２２，４４，４００  排気ファン、３１，４１ａ，４１ｂ  吸い込み口、３２  給気口、３３，４３ａ，４３ｂ  通気管、３４  給気ファン、４０  本体部、４２  排気口、５１  制御部、５２  記憶部、５３  計時部、５４  排気制御部、５５  給気制御部、６２  温度センサ、６３  操作部、１１１，１２１  居室、１１２，１２２，１２３  非居室、１１３  サッシ、１２４  窓、１３０  小屋裏空間、１３１  天井部上面、１３２  切妻屋根。
【図１】
0006483378.tif 000002
【図２】
0006483378.tif 000003
【図３】
0006483378.tif 000004
【図４】
0006483378.tif 000005
【図５】
0006483378.tif 000006
【図６】
0006483378.tif 000007
【図７】
0006483378.tif 000008
【図８】
0006483378.tif 000009
【図９】
0006483378.tif 000010
【図１０】
0006483378.tif 000011